(57)【要約】【課題】食品に付与される食品生産者からのコメントが年がら年中同じでは、季節感が消費者に伝わらないことと、消費者の知りたい欲求を満たすことが出来ないこと。【解決手段】食品出荷時期に食品生産者１によって作成され、出荷された食品２に添えるための、または貼付けるための写真付きラベル６であって、食品２の生産者と消費者４の心理的距離を縮めるために、かつ食品２が生産された生産地の季節感を消費者４に伝えるために、さらには消費者４が食品２を手に取った時にその季節感が伝わるようにするために、食品生産者１または生産地に関する写真と生産者名とともに食品出荷時期における食品生産者１からのコメントによって構成される写真付きラベル６を作成する。また「食品出荷時期における（出荷対象食品に関する）食品生産者１からのコメント」だけでなく、「同じ時期における次出荷食品に関する食品生産者１からのコメント」を加えてもよい。【選択図】    図２
2004184818.tif 000002
【特許請求の範囲】
【請求項１】
食品生産者と消費者の心理的距離を縮めるために、かつ食品が生産された食品生産地の季節感を消費者に伝えるために、さらには消費者が食品を手に取った時にその季節感が伝わるようにするために、該食品に添えられるまたは貼り付けられる写真付きラベルを作成する写真付きラベル作成方法であって、
前記食品生産者または前記食品生産地に関する画像情報を画像情報取得手段によって取得し、
食品出荷時期における前記食品生産者からのコメント情報をコメント情報取得手段によって取得し、
前記画像情報取得手段が取得した前記画像情報と前記コメント情報取得手段が取得した前記コメント情報を用いて、前記写真付きラベルの構成にレイアウトし、
レイアウトした前記写真付きラベルのレイアウト結果を情報出力手段に出力し、
出力された前記写真付きラベルのレイアウト結果に対して承認を示す承認情報を受け付けると、承認された前記写真付きラベルのレイアウト結果をラベル台紙に印刷して、
前記写真付きラベルのレイアウト結果が印刷された前記ラベル台紙を排出することを特徴とする写真付きラベル作成方法。
【請求項２】
食品生産者と消費者の心理的距離を縮めるために、かつ食品が生産された食品生産地の季節感を消費者に伝えるために、さらには消費者が食品を手に取った時にその季節感が伝わるようにするために、該食品に添えられるまたは貼り付けられる写真付きラベルを作成する写真付きラベル作成システムであって、
前記食品生産者または前記食品生産地に関する画像情報を画像情報取得手段によって取得し、
食品出荷時期における前記写真付きラベルが添えられるまたは貼り付けられる出荷対象食品に関する前記食品生産者からのコメント情報および該食品出荷時期における次出荷食品に関する前記食品生産者からのコメント情報をコメント情報取得手段によって取得し、
前記画像情報取得手段が取得した前記画像情報と前記コメント情報取得手段が取得した前記コメント情報を用いて、前記写真付きラベルの構成にレイアウトし、
レイアウトした前記写真付きラベルのレイアウト結果を情報出力手段に出力し、
出力された前記写真付きラベルのレイアウト結果に対して承認を示す承認情報を受け付けると、承認された前記写真付きラベルのレイアウト結果をラベル台紙に印刷して、
前記写真付きラベルのレイアウト結果が印刷された前記ラベル台紙を排出することを特徴とする写真付きラベル作成方法。
【請求項３】
前記写真付きラベルを構成する情報が足らない場合には、入力要求情報を情報出力部に出力し、出力した該入力要求情報に応じた情報を用いて前記写真付きラベルの構成にレイアウトすることを特徴とする請求項１または２に記載の写真付きラベル作成方法。
【請求項４】
前記情報出力手段によって出力された前記写真付きラベルのレイアウト結果に対して承認を示す承認情報を受け付けると、前記写真付きラベルに付与するクーポン情報を記憶部より取得し、承認された前記写真付きラベルのレイアウト結果に取得した該クーポン情報を付与してラベル台紙に印刷することを特徴とする請求項１〜３のいずれかに記載の写真付きラベル作成方法。
【請求項５】
前記写真付きラベルの情報を送信する送信先端末に関する情報をあらかじめ記憶部に記憶し、
前記写真付きラベルの印刷を開始または完了すると、その前記写真付きラベルの内容を前記送信先端末に関する情報に基づいて、前記送信先端末に送信することを特徴とする請求項１〜３のいずれかに記載の写真付きラベル作成方法。
【請求項６】
印刷を開始または完了した前記写真付きラベルの情報を受信した前記送信先端末は、受信した情報に基づいて販売促進物または営業促進物を作成することを特徴とする請求項５に記載の写真付きラベル作成方法。
【請求項７】
食品生産者と消費者の心理的距離を縮めるために、かつ食品が生産された食品生産地の季節感を消費者に伝えるために、さらには消費者が食品を手に取った時にその季節感が伝わるようにするために、該食品に添えられるまたは貼り付けられる写真付きラベルを作成する写真付きラベル作成システムであって、
前記食品生産者または前記食品生産地に関する画像情報を取得する画像情報取得手段と、
食品出荷時期における前記食品生産者からのコメント情報を取得するコメント情報取得手段と、
前記画像情報取得手段が取得した前記画像情報と前記コメント情報取得手段が取得した前記コメント情報を用いて、前記写真付きラベルの構成にレイアウトする情報レイアウト手段と、
前記情報レイアウト手段がレイアウトした前記写真付きラベルのレイアウト結果を出力する情報出力手段と、
前記情報出力手段によって出力された前記写真付きラベルのレイアウト結果に対して承認を示す承認情報を受け付けると、承認された前記写真付きラベルのレイアウト結果をラベル台紙に印刷するラベル印刷手段と、
前記ラベル印刷手段によって印刷された前記ラベル台紙を排出するラベル排出手段と
を有することを特徴とする写真付きラベル作成システム。
【請求項８】
食品生産者と消費者の心理的距離を縮めるために、かつ食品が生産された食品生産地の季節感を消費者に伝えるために、さらには消費者が食品を手に取った時にその季節感が伝わるようにするために、該食品に添えられるまたは貼り付けられる写真付きラベルを作成する写真付きラベル作成システムであって、
前記食品生産者または前記食品生産地に関する画像情報を取得する画像情報取得手段と、
食品出荷時期における前記写真付きラベルが添えられるまたは貼り付けられる出荷対象食品に関する前記食品生産者からのコメント情報および該食品出荷時期における次出荷食品に関する前記食品生産者からのコメント情報を取得するコメント情報取得手段と、
前記画像情報取得手段が取得した前記画像情報と前記コメント情報取得手段が取得した前記コメント情報を用いて、前記写真付きラベルの構成にレイアウトする情報レイアウト手段と、
前記情報レイアウト手段がレイアウトした前記写真付きラベルのレイアウト結果を出力する情報出力手段と、
前記情報出力手段によって出力された前記写真付きラベルのレイアウト結果に対して承認を示す承認情報を受け付けると、承認された前記写真付きラベルのレイアウト結果をラベル台紙に印刷するラベル印刷手段と、
前記ラベル印刷手段によって印刷された前記ラベル台紙を排出するラベル排出手段と
を有することを特徴とする写真付きラベル作成システム。
【請求項９】
前記写真付きラベルを構成する情報が足らない場合には、入力要求情報を前記情報出力部に出力し、出力した該入力要求情報に応じた情報を用いて前記情報レイアウト手段は前記写真付きラベルの構成にレイアウトすることを特徴とする請求項７または８に記載の写真付きラベル作成システム。
【請求項１０】
食品生産者と消費者の心理的距離を縮めるために、かつ食品が生産された食品生産地の季節感を消費者に伝えるために、さらには消費者が食品を手に取った時にその季節感が伝わるようにするために、該食品に添えられるまたは貼り付けられる写真付きラベルであって、
ラベル台紙の一方の面に、少なくとも前記食品生産者または前記食品生産地に関する画像情報および食品出荷時期における前記食品生産者からのコメント情報を印刷したことを特徴とする写真付きラベル。
【請求項１１】
食品生産者と消費者の心理的距離を縮めるために、かつ食品が生産された食品生産地の季節感を消費者に伝えるために、さらには消費者が食品を手に取った時にその季節感が伝わるようにするために、該食品に添えられるまたは貼り付けられる写真付きラベルであって、
ラベル台紙の一方の面に、少なくとも前記食品生産者または前記食品生産地に関する画像情報、食品出荷時期における前記写真付きラベルが添えられるまたは貼り付けられる出荷対象食品に関する前記食品生産者からのコメント情報および該食品出荷時期における次出荷食品に関する前記食品生産者からのコメント情報を印刷したことを特徴とする写真付きラベル。
【請求項１２】
さらにクーポン情報を印刷したことを特徴とする請求項１０または１１に記載の写真付きラベル。
【請求項１３】
前記ラベル台紙にシール台紙を用いることを特徴とする請求項１０〜１２のいずれかに記載の写真付きラベル。
【発明の詳細な説明】
【０００１】
【発明の属する技術分野】
本発明は、写真付きラベル、特に食品に添えられる、または貼付けられる写真付きラベル作成方法、写真付きラベル作成システム及び写真付きラベルに関する。
【０００２】
【従来の技術】
食品を包装する包装紙に生産者の顔写真と名前および生産者からのコメントを印刷した先行技術として、登録実用新案第３０５３９４６号公報が挙げられる。この先行技術では、水産加工品の包装紙に生産者の顔写真と名前の他に生産者からのコメントが記載されており、具体的には「この魚は私達がとったものです」や「鳥取県境港市の私達がお客様の健康を考え、酸化防止剤を使わない健康にぼしを真心込めて作りました」などのコメントである。ただし、これらのコメントは年がら年中同じものであり、季節感を反映したものであるとは言えない。
【０００３】
メッセージの内容を変更できるシールの先行技術として、特開２００２−２８４１７４号公報が挙げられる。この先行技術では、土産物の贈り主が贈り先へ土産物を贈るメッセージとしてあらかじめ複数種類用意してあり、その地方の風景写真と組み合わせることも出来るとされている。ただし、これらのコメントは贈り主の気持ちを贈り先に伝えるものであり、また組み合わされる風景写真は生産地ではなく、土産物の購入地に過ぎない。
【０００４】
【特許文献１】
登録実用新案第３０５３９４６号公報
【特許文献２】
特開２００２−２８４１７４号公報
【０００５】
【発明が解決しようとする課題】
モノが売れない時代だと言われて久しい。不況でモノが余っている上に似たような商品が市場に溢れており、消費者に訴えるようなこれといった差別化が出来なくなっているのも一因であると言われている。商品で差別化できなくなると値段の安さが差別化要素になりがちである。
【０００６】
ところが、他に比べて抜きん出た安さを差別化要素にしなくとも売れているものがある。それがいわゆるストーリビジネスと呼ばれる販売手法によって売られているものであり、ストーリビジネスとは商品の物語や商品の作り手（生産者）や売り手（販売者）の「人となり」や想いを語って売る販売の手法のことである。この販売手法は消費者の疑問・質問に答えて消費者を納得させるだけでなく、生産者や販売者と消費者の心理的距離を縮める効果も期待できると言われている。
【０００７】
このようなストーリビジネスは普段消費者が口にする食品にも有効であるとされており、その具体例を登録実用新案第３０５３９４６号公報で説明する。この従来技術では、品名や産地、正味重量、添加物および賞味期限などの食品に明示しなけばならないとされる情報以外に、生産者・生産地の写真と生産者からのコメントを食品の包装手段に印刷することによって、生産者と消費者間の親近感を高めたり、安心して食べたりすることが出来るとされている。
【０００８】
しかしながら、従来技術に示される生産者からのコメントは年がら年中同じコメントであり、全く季節感が感じられないという根本的な問題点があった。そもそも野菜や果物、魚介などの食品には、旬と呼ばれ、よくとれて味が最もよいと言われている時期がある。生産技術の進歩によってそれらの食品が手に入らない期間が短くなり、この旬を感じられることが少なくなったとは言え、我々を取り巻く環境には四季と言う季節の変化があり、食品の味や品質に影響を及ぼす季節の変化が感じられない生産者からのコメントでは、消費者は親近感を感じることが出来ない。なお、いくら真心込めて作りましたと示したところで、その真心は具体的にどのようなものかを示さなければ、単なるありきたりの営業トークに過ぎない。このようなコメントを記す包装紙では消費者の疑問・質問に答えて消費者を納得させることも出来なければ、生産者や販売者と消費者の心理的距離を縮めることも出来なかった。
【０００９】
また、例えば特開２００２−２８４１７４号公報に示すようにメッセージの内容を食品の包装手段に貼るシールの種類で変える従来技術もあるが、これは土産物を贈る贈り主の気持ちに最も合った内容のメッセージがあらかじめ記載されているシールを贈り主が選択して、食品の梱包手段に貼っているに過ぎない。これでは、食品の生産時期における季節感を伝えることは出来ない。
【００１０】
【課題を解決するための手段】
本発明の本質は、食品出荷時期に食品生産者によって作成され、出荷された食品に添えるための、または貼付けるための写真付きラベルであって、食品の生産者と消費者の心理的距離を縮めるために、かつ食品が生産された生産地の季節感を消費者に伝えるために、さらには消費者が食品を手に取った時にその季節感が伝わるようにするために、食品生産者または生産地に関する写真と生産者名とともに食品出荷時期における食品生産者からのコメントによって構成される写真付きラベルを作成することである。
【００１１】
本発明は、前記食品生産者または前記食品生産地に関する画像情報を画像情報取得手段によって取得し、食品出荷時期における前記食品生産者からのコメント情報をコメント情報取得手段によって取得し、前記画像情報取得手段が取得した前記画像情報と前記コメント情報取得手段が取得した前記コメント情報を用いて、前記写真付きラベルの構成にレイアウトし、レイアウトした前記写真付きラベルのレイアウト結果を情報出力手段に出力し、出力された前記写真付きラベルのレイアウト結果に対して承認を示す承認情報を受け付けると、承認された前記写真付きラベルのレイアウト結果をラベル台紙に印刷して、前記写真付きラベルのレイアウト結果が印刷された前記ラベル台紙を排出するようにした。
【００１２】
食品生産者によって作成された写真付きラベルは、食品生産者が食品を出荷する出荷時に添えれるまたは貼られることが望ましい。ただし、小売店などで消費者が購買の際にその食品を手に取るまでに間違いなく付与されているのであれば、出荷後に例えば流通業者の手でによって添えられても、貼られてもよい。
【００１３】
食品出荷時期における前記食品生産者からのコメント情報は、例えば「（食品出荷時期における）食品が生産された生産地の季節感を消費者に伝えるコメント」が「商品に関する説明」とともに記されるとよい。
【００１４】
一般に食品生産地と消費者がいる場所では環境が異なることが多いので、「食品が生産された生産地の季節感を消費者に伝えるコメント」には食品生産者がそのときその場所でありのままに感じたことをありのままに記すだけでも、普段感じることの出来ない食品生産地の状況に消費者は季節感を感じることが出来る。なぜなら、人は元々「食」と季節を関連付けて記憶しているものであり、日々の生活の中で季節の変化を感じにくくなってしまった消費者にとって、食品生産地の状況はそれだけでも「食」に関連づけられた季節感を連想することが出来るからである。
【００１５】
よって、食品出荷時期における食品生産者からのコメント情報をコメント情報取得手段によって取得し、画像情報取得手段が取得した画像情報と共にコメント情報取得手段が取得したコメント情報を用いて写真付きラベルを作成する構成を有する写真付きラベル作成システムによって、これまでには無かった「食品が生産された生産地の季節感を消費者に伝える」ことが出来る写真付きラベルを作成することが出来る。
【００１６】
また、「食品が生産された生産地の季節感を消費者に伝えるコメント」が「商品に関する説明」とともに記されることによって、どんなときにどのように生産された食品なのかを消費者が知ることができ、さらには、このコメントを記した食品生産者がどんなことをそのときその場所で感じたのかを知ることが出来るので、消費者の知りたい欲求が満たされることになる。人は客観的な情報も知りたいと思うものであるが、客観的な情報は単なる情報になりやすく、それだけでは味気ないものになりやすい。味気ない情報では、人の興味を薄れさせてしまう。例えばエッセイや口コミ情報に人の関心が集まったりするのは、人は人の感じることに興味があることを示している。よって、食品生産者がそのときその場所でありのままに感じたことをありのままに記すだけでも消費者の知りたい欲求は満たすことが出来る。
【００１７】
ここで言うところの食品生産者とは、大地の恵みである野菜や果実などを栽培、収穫する者や、海の幸・山の幸である魚や木の実、きのこなどを捕獲、採取する者や、家畜や養殖魚介類などを育成する者およびそれらの食品を必要に応じて加工する者など、食品を消費者に向けて出荷するために生産する者のことである。また、ここで言うところの食品生産地とは、大地の恵みや海の幸・山の幸および家畜・養殖などの食品を育む場所のことであり、周辺地域を含めた地名で示されることもある。生産地に関する写真には、食品を育む場所そのものや食品生産行為を写した光景以外にも、地名で示される周辺地域の風景を写真としてもよい。この風景写真は出荷される食品に直接関係のないもののようにも見えるが、出荷される食品が育まれた食品生産地の雰囲気を伝えるものであり、食品生産地の季節感を消費者に伝えるものと解釈することが出来るので、本発明における生産地の写真としてもよいのである。
【００１８】
また、前記食品生産者または前記食品生産地に関する画像情報を画像情報取得手段によって取得し、食品出荷時期における前記写真付きラベルが添えられるまたは貼り付けられる出荷対象食品に関する前記食品生産者からのコメント情報および該食品出荷時期における次出荷食品に関する前記食品生産者からのコメント情報をコメント情報取得手段によって取得し、前記画像情報取得手段が取得した前記画像情報と前記コメント情報取得手段が取得した前記コメント情報を用いて、前記写真付きラベルの構成にレイアウトし、レイアウトした前記写真付きラベルのレイアウト結果を情報出力手段に出力し、出力された前記写真付きラベルのレイアウト結果に対して承認を示す承認情報を受け付けると、承認された前記写真付きラベルのレイアウト結果をラベル台紙に印刷して、前記写真付きラベルのレイアウト結果が印刷された前記ラベル台紙を排出するようにしてもよい。
【００１９】
この「次出荷食品に関する食品生産者からのコメント」は、写真付きラベルが付与される食品とは直接関与しない（あえて言えば同一の食品生産者によって生産されている食品であることが共通要素）ので、これまでこのようなコメントを食品に付与しようという概念はなかった。なぜなら何の意図もなく、食品に直接関係しないことを記載することがいかにも不自然だからである。しかしながら、このコメントがあるだけでも写真付きラベルに（消費者に感じさせる）季節感が出てくるという効果がある。
【００２０】
なぜなら、我々は日々の移ろいという変化に対して、または身の回りの生きとし生けるものの成長という変化に対して季節を強く感じるからとも言われている。食品生産地における食品の生産は終わることなく、日々の変化を伴って脈々と続いていく。つまり、写真付きラベルが付与される出荷対象食品の出荷時における次出荷食品に関する食品生産者１からのコメントが記されているだけでも、生産が終わって出荷される食品とそのとき生産中である食品による連続性を消費者に感じさせることが出来る。よって、終わることのなく、日々の変化を伴って脈々と続いていく食品生産地における食品の生産に関する記述が消費者に季節感を感じさせるのである。
【００２１】
また、前記写真付きラベルを構成する情報が足らない場合には、入力要求情報を情報出力部に出力し、出力した該入力要求情報に応じた情報を用いて前記写真付きラベルの構成にレイアウトするようにしてもよい。
【００２２】
また、前記情報出力手段によって出力された前記写真付きラベルのレイアウト結果に対して承認を示す承認情報を受け付けると、前記写真付きラベルに付与するクーポン情報を記憶部より取得し、付与して承認された前記写真付きラベルのレイアウト結果に取得した該クーポン情報をラベル台紙に印刷するようにしてもよい。
【００２３】
食品の主たる購買層となる主婦には何かを集める習性があり、１枚または複数枚集めることによって、提供者が提供する何かに応募できる券となる、いわゆるクーポン券に弱いと言われている。このようなクーポン券が写真付きラベルに付与され、クーポン券を集めた消費者からの応募を受け付けることによって、一方通行だった食品生産者の声に対する消費者の情報を取得することが出来る。例えば、出荷する食品の種別ごとにクーポン券を変えておけば、どんな人がどんなものを購入してくれたかなどのマーケティング情報となる。なお、識別コードが写真付きラベルにあれば、クーポン券にも同様に識別コードが記載しておくとよい。
【００２４】
また、クーポン券を貼り付けたクーポン台紙を受け付けるクーポンチェッカー機能を持つ端末から消費者の声を取得することによって、食品生産者が消費者の生の声を知ることが出来る。そして、食品生産者がこのように「食」への関心が高い消費者からの知りたい欲求に応えるようなコメントを写真付きラベル作成システムに入力することによって、次第に食品生産者と消費者の心理的距離が縮まると共に、互いの信頼感を構築することにも貢献することが出来る。つまり、写真付きラベル作成システムが作成する写真付きラベルが互いの信頼と安心を結ぶ情報伝達媒体の役割を担うことが出来るようになる。なお、クーポンチェッカー機能は、写真付きラベル作成システム側にあってもよく、この場合の端末はクーポン台紙の受け付け機能を持つ端末であればよい。
【００２５】
また、前記写真付きラベルの情報を送信する送信先端末に関する情報をあらかじめ記憶部に記憶し、前記写真付きラベルの印刷を開始または完了すると、その前記写真付きラベルの内容を前記送信先端末に関する情報に基づいて、前記送信先端末に送信するようにしてもよい。
【００２６】
本発明における写真付きラベルは、食品生産者と消費者の心理的距離を縮めるために、かつ食品が生産された生産地の季節感を消費者に伝えるために、さらには消費者が食品を手に取った時にその季節感が伝わるようにするために、食品生産者または生産地に関する写真と生産者名とともに出荷時期における食品生産者からのコメントによって構成されている。よって、写真付きラベルそのままの内容で販売者が販売促進物を作成しても、消費者に食品生産者と消費者の心理的距離を縮める役割や、食品が生産された生産地の季節感を消費者に伝える役割を担うことが出来る。
【００２７】
また、飲食店など、消費者に飲食物を提供するサービス業種で、本発明における写真付きラベルの内容を示す営業促進用店内ポップのような営業促進物を置くということは、食材（食品）にも気を使っていることを示す飲食店の「食」に対する姿勢を消費者（飲食店にとっては利用者）に伝えるだけでなく、間接的に食品生産者の声が消費者に届くというメディア（情報伝達媒体）の役目を果たすことが出来る。
【００２８】
【発明の実施の形態】
以下に、本発明に係る写真付きラベル作成システムの具体的実施の形態を図面を参照して詳細に説明する。
【００２９】
（第１実施形態）
図１は、食品生産者を説明する説明図である。
【００３０】
同図は、主に食品の生産行為を実行する食品生産者１について説明する。同図において、食品生産者１とは、大地の恵みである野菜や果実などを栽培、収穫する者や、海の幸・山の幸である魚や木の実、きのこなどを捕獲、採取する者や、家畜や養殖魚介類などを育成する者およびそれらの食品２を必要に応じて加工する者など、食品を消費者４に向けて出荷するために生産する者のことである。食品生産者１の生産行為は、食品２を栽培して栽培した食品２を収穫することや、食品２を育成して育成した食品２を採取・捕獲すること、および食品２を採取・捕獲することに相当する。また、食品生産行為には、収穫、採取・捕獲された食品２を、必要に応じて加工や梱包することおよび出荷することも含めて食品生産行為と見なしてもよい。なお、これらの食品生産行為は複数の食品生産者１で分業されていることもよくある。
【００３１】
収穫、採取・捕獲された食品２は、必要に応じて加工や梱包されて出荷されていく。食品生産者１から出荷された食品２は、一般に流通と呼ばれる仕組みを通じて最終的に消費者４の元へ届けられるが、販売者（小売業者）３を介することが多い。また、食品生産者１が消費者４に直接食品を販売する販売者３を兼ねてもよい。
【００３２】
図２は、本発明の実施形態におけるコンセプトを説明する図である。
【００３３】
同図において、写真付きラベル作成システム５は、食品生産者１から「食品生産者１または食品生産地に関する写真」を画像情報として取得、また「食品出荷時期における食品生産者１からのコメント」を文字情報として取得し、取得した情報に基づいて写真付きラベル６を作成する。写真付きラベル作成システム５によって作成された写真付きラベル６は、食品生産者１によって食品に添えられたり、貼られていたりして、最終的には消費者４の元に届けられることになる。
【００３４】
写真付きラベル６は、食品２に直接、または間接的に添えられたり、貼られていたりする。添えられる具体例としては、写真付きラベルをテープなどで食品２に撒きつけるように固定したり、食品２の梱包手段の中に入れたりすることが挙げられる。また、貼られる具体例としては、写真付きラベル６がシール台紙に印刷された写真シールとなっており、シールとなった写真付きラベル６が食品２に直接、または食品２を梱包する梱包手段に貼られることが挙げられる。要は、食品出荷時期における食品生産者１からのコメントが記載されている写真付きラベル６が、出荷対象となる食品２に付与されていれば、特にその手段は問わない。なお、梱包手段には、ラップやビニール袋のようなものや梱包箱やケースのようなものなどがあり、その形状は多種多様である。
【００３５】
もちろん、食品生産者１によって作成された写真付きラベル６は、食品生産者１が食品２を出荷する出荷時に貼られることが望ましい。ただし、小売店などで消費者４が購買の際にその食品２を手に取るまでに間違いなく付与されているのであれば、出荷後に例えば販売者３の手でによって添えられても、貼られてもよい。
【００３６】
図３は、本発明の実施形態における写真付きラベル作成システムのハードブロック図である。
【００３７】
同図において、情報入力部７と情報出力部８とは、写真付きラベル作成システム５が食品生産者１と種々のやりとりをするための入出力機能を持つ部位である。情報入力部７における入力装置としては、例えばキーボード、テンキー、マウス、バーコードリーダ、音声入力装置などが該当し、食品生産者１の入力がシステムに対して情報を伝達するものなら、その種類は問わない。写真付きラベル６の作成に必要な「食品生産者１または食品生産地に関する写真」を画像情報として取得する手段と「食品出荷時期における食品生産者１からのコメント」を文字情報として取得する手段は、この情報入力部７に含む。ただし、これらの情報はネットワーク１３を介して外部の機器から取得してもよい。また、情報出力部８における出力装置としては、例えばディスプレイ、プリンタ、音声出力装置などが該当し、食品生産者１に対してシステムから情報を伝達できるものなら、その種類は問わない。写真付きラベル出力部９から写真付きラベル６を出力する前の段階で食品生産者１から承認を得るために、写真付きラベル６の作成に必要な情報を取得して、取得した情報を写真付きラベル出力部９から出力する構成で示す出力手段、より具体的には表示手段をこの情報出力部８に含む。ただし、承認を得る相手である食品生産者１がシステムにとって離れた場所にいる場合には、ネットワーク１３を介して食品生産者１が有する端末やシステムに送信してもよい。写真付きラベル出力部９とは、システム操作者７から承認の得られた顔写真付き名前シール１の構成と内容をラベル台紙２０（図示せず）に印刷する部位である。演算部１０とは、プログラムを実行することによって各機能を駆動、処理するための演算機能を持つ部位であり、一般にＣＰＵ（中央演算装置）で構成される。メモリ部１１とは、演算部１０が実行するプログラムの実行エリアの部位である。通信部１２とは、ネットワーク１３を介して外部システムとの通信を制御する部位である。ＤＢ（データベース）管理部１４とは、様々なデータ構造とデータ実体を管理する機能を持つ部位である。
【００３８】
ＤＢ管理部１５に管理される処理プログラム１５とは、写真付きラベル作成システム５の利用目的を達成するために必要なプログラムのことであり、ＯＳ（オペレーティングシステム）もここに含まれる。同様に写真付きラベル情報ＤＢ１６とは、写真付きラベル６を作成するために必要な情報を記憶するデータベースのことであり、より具体的には食品生産者１に対して写真付きラベル６を作成するために必要な情報を要求する入力要求（入力指示）に関する情報を記憶する部位や、写真付きラベル６を構成する写真を画像情報として記憶する部位や、写真付きラベル６を構成する食品生産者１からのコメントを文字情報とし記憶する部位や、写真付きラベル６の割り付けを決めるレイアウト情報を記憶する部位、および写真付きラベル出力部９から出力された写真付きラベル６に関する情報を記憶する部位などから成るとよい。これら写真付きラベル情報ＤＢ１６に含まれる各記憶する部位は独立したデータベースを構築してもよい。同様に食品生産者情報ＤＢ１７とは、食品生産者１に関する情報を記憶するデータベースのことであり、送信先端末情報ＤＢ１８とは、販売者３や消費者４など写真付きラベル６の内容を送信する送信先に関する端末情報を記憶するデータベースのことである。同様にクーポン情報ＤＢ１９とは、写真付きラベル６に付与されるクーポン券（１枚または複数枚集めることによって、提供者が提供する何かに応募できる券のこと）に関する情報を記憶するデータベースのことである。
【００３９】
図４は、本発明の実施形態における写真付きラベル作成システムの機能ブロック図である。
【００４０】
同図において、写真付きラベル作成システム５は、写真付きラベル６の作成に必要な情報が足らない場合に、食品生産者１に足らない情報の取得を要求する入力要求（入力指示）情報を入力要求情報ＤＢ１６−４から取得する機能と、取得した入力要求（入力指示）情報を食品生産者１に対する入力の指示として情報出力部８に出力する機能とを有する。入力要求（入力指示）情報は、食品生産者１に対する具体的な指示によって構成されるとよい。
【００４１】
入力要求（入力指示）情報における具体的な指示とは、例えば「出荷する食品は何ですか？」「このごろ（＝食品出荷時期）、この出荷する食品について思うことや、この食品の生産に関して思うことや、この食品の生産している場所に関して思うことは何ですか？」などの質問情報や、「例えば、どんな苦労がありましたか？」「例えば、季節の移り変わりについて感じたことはないですか？」「例えば、最近何か変わったことはありませんでしたか？」「この食品２の効能、おいしい食べ方、保存方法について教えて下さい」などの誘導情報のことである。また、食品生産者１に対して、入力したコメントをチェック（確認）させるための確認情報が付与されていてもよい。
【００４２】
ここで言うところの確認情報とは、例えば「出荷する食品に関するメッセージ、または食品生産地（生産場所）における『あなた（食品生産者１）自身』からのメッセージになっていますか？」「そのメッセージは今（食品生産者１にとっては食品出荷時期のこと）を感じさせるものになっていますか？」「そのメッセージは消費者４がこの食品２を手に取った時に季節感を感じるものになっていますか？」などのように、コメントを考える食品生産者１にどんな内容のコメントにしなくてはならないかを忘れさせないものであるとよい。なお、別の言い方で記述すれば、「その（写真付きラベル６に記載する食品生産者１からの）コメントは食品出荷時期のものでなくてはならない」「そのコメントは、消費者４が食品２を手に取ったときにココ（食品生産者１にとっては食品生産地のこと）における季節感が消費者４に伝わるものでなくてはならない」などの表現となる。
【００４３】
同様に、食品生産者または食品生産地に関する写真に対する入力要求（入力指示）情報となる誘導情報や確認情報などがあるとよく、具体的には「そのコメントの内容のイメージをうまく消費者４に伝える写真になっていますか？」「コメントの内容のイメージをうまく伝えるものになってないような気がするなら、『あなた（食品生産者１）自身』の近況を伝える写真でもいいですよ」や、別の言い方で記述すれば「その写真は、消費者４が食品２を手に取ったときにココ（食品生産地）における季節感が消費者４に伝わるものでなくてはならない」などの表現となる。
【００４４】
さらに、写真付きラベル作成システム５は、情報入力部７から食品生産者１または食品生産地に関する画像情報（写真）を受け付ける機能と、受け付けた画像情報を画像情報ＤＢ１６−１に記憶する機能と、同様に情報入力部７から食品出荷時期における食品生産者１からのコメントを受け付ける機能と、受け付けたコメント情報をコメント情報ＤＢ１６−２に記憶する機能とを有する。さらに、写真付きラベル作成システム５は、写真付きラベル６の作成に必要な情報を情報入力部７から直接またはそれらの情報を記憶する画像情報ＤＢ１６−１、コメント情報ＤＢ１６−２、食品生産者情報ＤＢ１７からそれぞれ取得する機能と、取得した各情報を写真付きラベル６の構成に配置する機能と、写真付きラベル６の構成に配置した配置結果（写真付きラベル６の構成に必要な各情報の内容と配置構成）を情報出力部８に出力する機能とを有する。取得した情報を写真付きラベル６の構成に配置する際には、写真付きラベル６内における各情報の割り付けを決めるレイアウト情報を利用してもよく、写真付きラベル６の割り付けを決めるレイアウト情報をレイアウト情報ＤＢ１６−３から取得する機能をさらに有してもよい。
【００４５】
図５は、本発明の実施形態における写真付きラベル作成システムの機能ブロック図である。
【００４６】
同図において、写真付きラベル作成システム５は、情報出力部８に出力した写真付きラベル６の配置結果（写真付きラベル６の構成に必要な各情報の内容と配置構成）に対する変更の指示を情報入力部７から受け付ける機能と、受け付けた変更指示に応じて写真付きラベル６の内容を修正する機能と、修正した写真付きラベル６の修正結果を写真付きラベル６の構成に配置して情報出力部８に改めて出力する機能とを有する。さらに、写真付きラベル作成システム５は、写真付きラベル６の構成にそれぞれの情報を配置した配置結果に対する承認を情報入力部７から受け付ける機能と、受け付けた承認情報に基づいて、（承認情報に対応することになる）情報出力部８に出力した写真付きラベル６の配置結果または修正結果を取得する機能と、取得した写真付きラベル６の内容を写真付きラベル出力部９に出力する機能と、写真付きラベル出力部６に出力した写真付きラベル６の内容を写真付きラベル付きＤＢ１６に記憶する機能とを有する。
【００４７】
図６は、図３における写真付きラベル出力部をより具体的に説明するハードブロック図である。
【００４８】
同図において、写真付きラベル出力部９は、写真付きラベル６を印刷するラベル台紙２０を貯蔵（ストック）して、印刷部９−２にラベル台紙を供給する台紙供給部（台紙貯蔵部）９−１と、台紙供給部９−１から供給されたラベル台紙２０に食品生産者１の承認を受けたことを示す承認情報が示す内容で写真付きラベル６を印刷する印刷部９−２と、印刷部９−２で印刷された写真付きラベル６（印刷済み台紙）を排出する印刷済み台紙排出部９−３から成る。台紙供給部（台紙貯蔵部）９−１にストックされるラベル台紙２０の種類によって、写真付きラベル出力部９から出力される写真付きラベル６の種類が決まり、ラベル台紙２０に例えばシール台紙を用いれば、出力される写真付きラベル６は写真シール紙になる。なお、ラベル台紙２０にロール台紙を用いる場合には、必要によりロール台紙カット部９−４を備えてもよい。
【００４９】
図７は、図４に示す機能ブロック図に対応する写真付きラベル作成システムの演算部におけるフローチャートである。
【００５０】
同図において、写真付きラベル作成システム５は、写真付きラベル６の作成指示を受け付けると（ＳＴ７０１）、写真付きラベル６の作成に必要な情報が足りているか否かを判断し（ＳＴ７０２）、写真付きラベル６の作成に必要な情報が足らない場合には、食品生産者１に足らない情報の取得を要求する入力要求（入力指示）情報を入力要求情報ＤＢ１６−４から取得し（ＳＴ７０３）、取得した入力要求（入力指示）情報を食品生産者１に対する入力の指示として情報出力部８に出力し（ＳＴ７０４）、情報出力部８に出力した入力要求（入力指示）情報に応じた情報を取得すると（ＳＴ７０５）、取得した情報が画像情報であった場合には画像情報ＤＢ１６−１に、取得した情報がコメント情報であった場合にはコメント情報ＤＢ１６−２に記憶して（ＳＴ７０６）、ＳＴ７０２に戻る。入力要求（入力指示）情報は、食品生産者１に対する具体的な指示によって構成されるとよい。ＳＴ７０２で写真付きラベル６の作成に必要な情報は足りていると判断した場合には、写真付きラベル６の作成に必要な情報をそれぞれ取得し（ＳＴ７０７）、取得した各情報を写真付きラベル６の構成に配置し（ＳＴ７０８）、写真付きラベル６の構成に配置した配置結果（写真付きラベル６の構成に必要な各情報の内容と配置構成）を情報出力部８に出力して（ＳＴ７０９）、処理を終了する。
【００５１】
図８は、図５に示す機能ブロック図に対応する写真付きラベル作成システムの演算部におけるフローチャートである。
【００５２】
同図において、写真付きラベル作成システム５は、情報出力部８に出力した写真付きラベル６の配置結果に対する承認を情報入力部７から受け付けたか否かを判断し（ＳＴ８０１）、承認を受け付けていない場合には、さらに配置結果（写真付きラベル６の構成に必要な各情報の内容と配置構成）に対する変更の指示を情報入力部７から受け付けたか否かを判断し（ＳＴ８０２）、受け付けていない場合には、他の処理を実行してそのまま待機する（ＳＴ８０１に戻る）。ＳＴ８０２で変更の指示を受け付けた場合には、受け付けた変更指示に応じて写真付きラベル６の内容を修正し（ＳＴ８０３）、修正した写真付きラベル６の修正結果を写真付きラベル６の構成に配置して情報出力部８に改めて出力して（ＳＴ８０４）、ＳＴ８０１に戻る。ＳＴ８０１で承認を受け付けると、受け付けた承認情報に基づいて、（承認情報に対応することになる）情報出力部８に出力した写真付きラベル６の配置結果または修正結果を取得し（ＳＴ８０５）、取得した写真付きラベル６の内容を写真付きラベル出力部９に出力し（ＳＴ８０６）、写真付きラベル出力部９に出力した写真付きラベル６の内容を写真付きラベル付きＤＢ１６に記憶して（ＳＴ８０７）、処理を終了する。
【００５３】
図９は、図４に示す機能ブロック図に対応する写真付きラベル作成システムの演算部におけるフローチャートである。
【００５４】
同図において、写真付きラベル作成システム５は、写真付きラベル６の割り付けを決めるレイアウト情報があると（ＳＴ９０１）、レイアウト情報をレイアウト情報ＤＢ１６−３から取得し（ＳＴ９０２）、取得したレイアウト情報を用いて写真付きラベル６の作成に必要な各情報を配置して（ＳＴ９０３）、処理を終了する。レイアウト情報を用いて写真付きラベル６の構成に配置した配置結果は、図７に示すＳＴ７０９と同様の処理が実行される。
【００５５】
図１０は、図２に示す写真付きラベルの具体例を説明する図である。
【００５６】
同図において、写真付きラベル６は、出荷対象食品名、食品生産者１または食品生産地に関する写真、食品生産者名、食品出荷時期における食品生産者１からのコメントによって構成されている。図例では、出荷対象食品名として「信州高原育ちの甘味たっぷり『にんじん』」と記されており、「にんじん」という単なる名称だけでなく、「信州高原」という場所で生産されたことと食品２としての特徴（具体的には甘味が多いこと）を簡潔に説明するものになっている。また、食品生産者１または食品生産地に関する写真としては食品生産者１が出荷対象の食品である「にんじん」を手にしている写真を載せている。この写真は、例えばにんじん畑やにんじんを収穫している作業風景でも構わない。
【００５７】
図例では、食品出荷時期における食品生産者１からのコメントとして「今、信州高原（出荷対象の食品２の食品生産地）には、一足早い秋が訪れています。昼間の残暑もずいぶん和らぎ、朝晩はすこしひんやりするようになりました。山では草木が心なしか赤や黄色に染まり始め、しばらくすると冬が足早にやって来ます。冬は信州鍋のおいしい季節です。」という「（食品出荷時期における）食品２が生産された生産地の季節感を消費者２に伝えるコメント」と、「さて、上質の有機肥料を使って無農薬栽培されたこのにんじんには、にんじん本来の甘味があります。昔のにんじんはどれもこんな味がしたものです。にんじん嫌いのお子様が多いと聞きますが、このにんじんなら食べられるのではないでしょうか。特に小さいお子様には、ぜひ本当のにんじんを食べさせてあげて下さい。」という「商品２に関する説明」が記されている。商品２に関する説明には、食品２の効用、食品２のおいしい食べ方、食品２の保存方法などを合わせて記してもよい。消費者４は、食による健康や食による満足感および食品２を無駄にしない方法などに興味があり、これらの情報で知りたい欲求を満たすことが出来る。
【００５８】
「（食品出荷時期における）食品２が生産された生産地の季節感を消費者２に伝えるコメント」は、食品生産者１が食品２の出荷にあたってそのときその場所で感じたことを記すコメントになっている。一般に食品生産地と消費者がいる場所では環境が異なることが多く、食品生産者１がそのときその場所でありのままに感じたことをありのままに記すだけでも、普段感じることの出来ない食品生産地の状況に消費者４は季節感を感じることが出来る。なぜなら、人は元々「食」と季節を関連付けて記憶しているものであり、日々の生活の中で季節の変化を感じにくくなってしまった消費者４にとって、食品生産地の状況はそれだけでも「食」に関連づけられた季節感を新鮮な気持ちで連想することが出来るからである。
【００５９】
また、「（食品出荷時期における）食品２が生産された生産地の季節感を消費者２に伝えるコメント」が「商品２に関する説明」とともに記されることによって、どんなときにどのように生産された食品２なのかを消費者４が知ることができ、さらには、このコメントを記した食品生産者１がどんなことをそのときその場所で感じたのかを知ることが出来るので、消費者４の知りたい欲求が満たされることになる。人は客観的な情報も知りたいと思うものであるが、客観的な情報は単なる情報になりやすく、それだけでは味気ないものになりやすい。味気ない情報では、人の興味を薄れさせてしまう。例えばエッセイや口コミ情報に人の関心が集まったりするのは、人は人の感じることに興味があることを示している。よって、食品生産者１がそのときその場所でありのままに感じたことをありのままに記すだけでも消費者４の知りたい欲求は満たすことが出来る。もちろん、食品２の出荷時期ごとにこのようなコメントを継続的に出し続けることも重要である。なお、「（食品出荷時期における）食品２が生産された生産地の季節感を消費者２に伝えるコメント」における「冬は信州鍋のおいしい季節です」という食に関するコメントは、人が元々食と季節を関連づけて記憶している感覚を刺激するので、季節感のコメントに有効である。
【００６０】
また、食品生産者１は例えば農協などの食品生産者団体に属していることがよくあり、出荷される食品２は食品生産者団体で統一された梱包方法や内容量などの規格で出荷されることが多い。ただし、同じ食品生産者団体（例えば信州高原農協など）に属しているとは言え、食品生産者１（例えば各農家）は異なるので、その食品２を生産した食品生産者１のそれぞれのコメントを用いて写真付きラベル６をそれぞれ作成するとよい。これまで、同一の食品生産者団体から出荷された食品２は（統一された梱包方法や規格で出荷されるので）、消費者４にとって同一の食品２にしか見えなかったが、たとえ食品２を商品と見た場合には全く同じものに見えたとしても、各食品生産者１で異なる写真付きラベル６が食品２に付与されていることによって、食品２を手に取る楽しみや消費者４の買う楽しみが増すという新たな効果が期待できる。なお、写真付きラベル６には、その内容の種類を識別するための識別コードを付与しておくとよい。図例では、識別コードとして写真付きラベル６の右上端に「ｖｏｌ．××」が記されている。識別コードを用いれば、写真付きラベル６のバーション（版）の違いだけでなく、食品生産者１の違いも識別することが出来る。
【００６１】
（第２実施形態）
図１１〜図１４を用いて、本発明における第２実施形態を説明する。第２実施形態の特徴は、食品生産者１から「食品出荷時期における（出荷対象の食品２に関する）食品生産者１からのコメント」だけでなく、「同じ時期（この写真付きラベル６が付与される出荷対象食品２の出荷時期）における次出荷食品に関する食品生産者１からのコメント」を取得し、写真付きラベル６を作成することである。第１実施形態と異なる点のみを以下説明する。
【００６２】
この「同じ時期における次出荷食品に関する食品生産者１からのコメント」は、写真付きラベル６が付与される食品とは直接関与しない（あえて言えば同一の食品生産者１によって生産されている食品２であることが共通要素）ので、これまでこのようなコメントを食品２に付与しようという概念はなかった。なぜなら何の意図もなく、食品２に直接関係しないことを記載することがいかにも不自然だからである。しかしながら、このコメントがあるだけでも写真付きラベル６に（消費者４に感じさせる）季節感が出てくるという効果がある。
【００６３】
図１１は、本発明の実施形態におけるコンセプトを説明する図である。
【００６４】
同図において、写真付きラベル作成システム５は、食品生産者１から「食品生産者または食品生産地に関する写真」を画像情報として取得、また「食品出荷時期における（出荷対象の食品２に関する）食品生産者からのコメント」と「同じ時期（この写真付きラベル６が付与される出荷対象食品２の出荷時期）における次出荷食品に関する食品生産者１からのコメント」を文字情報として取得し、取得した情報に基づいて写真付きラベル６を作成する。
【００６５】
図１２は、本発明の実施形態における写真付きラベル作成システムの機能ブロック図である。
【００６６】
同図において、写真付きラベル作成システム５は、情報入力部７から食品生産者１または食品生産地に関する画像情報（写真）を受け付ける機能と、受け付けた画像情報を画像情報ＤＢ１６−１に記憶する機能と、同様に情報入力部７から食品出荷時期における（出荷対象の食品２に関する）食品生産者からのコメントを受け付ける機能と、同様に情報入力部７から同じ時期（この写真付きラベル６が付与される出荷対象食品２の出荷時期）における次出荷食品に関する食品生産者１からのコメントを受け付ける機能と、受け付けたコメント情報をコメント情報ＤＢ１６−２に記憶する機能とを有する。
【００６７】
なお、図４と同様に写真付きラベル作成システム５は、写真付きラベル６の作成に必要な情報が足らない場合に、食品生産者１に足らない情報の取得を要求する入力要求（入力指示）情報を入力要求情報ＤＢ１６−４から取得する機能と、取得した入力要求（入力指示）情報を食品生産者１に対する入力の指示として情報出力部８に出力する機能とを有する。入力要求（入力指示）情報は、食品生産者１に対する具体的な指示によって構成されるとよい。
【００６８】
入力要求（入力指示）情報における具体的な指示とは、例えば「次に出荷する食品は何ですか？」「その食品は今、どうですか？（今、どんな様子ですか？）」などの質問情報や、「例えば、どんな苦労をしていますか？」「例えば、その食品について最近何か変わったことはありませんでしたか？」などの誘導情報のことである。また、食品生産者１に対して、入力したコメントをチェック（確認）させるための確認情報が付与されていてもよい。
【００６９】
ただし、出荷される商品とは一見関係のない次出荷商品ついての食品生産者１からのコメントが写真付きラベル６に記載されているだけで消費者４に季節感を感じさせることが出来るので、確認情報は例えば「そのメッセージは今（食品生産者１にとっては食品出荷時期のこと）を感じさせるものになっていますか？」「そのメッセージは消費者４がこの食品を手に取った時に季節感を感じるものになっていますか？」などのように、ことさら季節感を強調することは必要ない。よって、この実施形態における確認情報は、例えば「次出荷食品のありのままを伝えるメッセージ、生産現場のありのままを伝えるメッセージになっていますか？」などのように、ありのままをありのままに伝える素朴なコメントを食品生産者１から引き出すための確認情報であればよい。
【００７０】
図１３は、図１２に示す機能ブロック図に対応する写真付きラベル作成システムの演算部におけるフローチャートである。
【００７１】
同図において、写真付きラベル作成システム５は、食品生産者１からのコメント情報を受け付けると（ＳＴ１３０１）、同じ時期（この写真付きラベル６が付与される出荷対象食品２の出荷時期）における次出荷食品に関する食品生産者１からのコメントもあるか否かを判断（ＳＴ１３０２）し、あればそのまま処理を終了し、なければ食品生産者１に足らないコメント情報の取得を要求する入力要求（入力指示）情報を入力要求情報ＤＢ１６−４から取得し（ＳＴ１３０３）、取得した入力要求（入力指示）情報を食品生産者１に対する入力の指示として情報出力部８に出力し（ＳＴ１３０４）、情報出力部８に出力した入力要求（入力指示）情報に応じたコメント情報を取得すると（ＳＴ１３０５）、取得したコメント情報コメント情報ＤＢ１６−２に記憶して（ＳＴ１３０６）、処理を終了する。
【００７２】
図１４は、図１１に示す写真付きラベルの具体例を説明する図である。
【００７３】
同図において、写真付きラベル６は、出荷対象食品名、食品生産者１または食品生産地に関する写真、食品生産者名、食品出荷時期における（出荷対象の食品２に関する）食品生産者からのコメントおよび同じ時期（この写真付きラベル６が付与される出荷対象食品２の出荷時期）における次出荷食品に関する食品生産者１からのコメントによって構成されている。図例では、出荷対象食品名として「信州高原育ちの甘味たっぷり『にんじん』」と記されており、「にんじん」という単なる名称だけでなく、「信州高原」という場所で生産されたことと食品２としての特徴（具体的には甘味が多いこと）を簡潔に説明するものになっている。また、食品生産者１または食品生産地に関する写真としては食品生産者１が出荷対象の食品である「にんじん」を手にしている写真を載せている。この写真は、例えばにんじん畑やにんじんを収穫している作業風景でも構わない。
【００７４】
図例では、同じ時期（この写真付きラベル６が付与される出荷対象食品２の出荷時期）における次出荷食品に関する食品生産者１からのコメントとして「今、畑では大根を育てています。１ヶ月ほど前に種を蒔きました。土の中の大根はまだちっぽけなものですが、土から出た葉っぱは青々と力強く成長しています。そろそろ白菜の種も蒔きます。今年は例年に比べ、寒い冬となりそうですが、白菜にとっては寒いことはとても良いことで、芯からきっちりギュウギュウに葉を巻いたおいしい白菜になりそうです。大根は１０月の終わりごろ、１１月になれば白菜をお届けできると思います。楽しみにしていて下さい。」が記されている。
【００７５】
これは次出荷食品について述べているだけのコメントであるが、不思議と季節感を感じてしまう。なぜなら、先に述べた直接的な表現や何かと何かを関連づけて記憶している感覚以外にも、我々は日々の移ろいという変化に対して、または身の回りの生きとし生けるものの成長という変化に対して季節を強く感じるからとも言われている。食品生産地における食品２の生産は終わることなく、日々の変化を伴って脈々と続いていく。つまり、写真付きラベル６が付与される出荷対象食品の出荷時における次出荷食品に関する食品生産者１からのコメントが記されているだけでも、生産が終わって出荷される食品２とそのとき生産中である食品２による連続性を消費者４に感じさせることが出来る。よって、終わることのなく、日々の変化を伴って脈々と続いていく食品生産地における食品２の生産に関する記述が消費者４に季節感を感じさせるのである。
【００７６】
また、図１０と同様に、食品出荷時期における食品生産者１からのコメントとして「さて、上質の有機肥料を使って無農薬栽培されたこのにんじんには、にんじん本来の甘味があります。昔のにんじんはどれもこんな味がしたものです。にんじん嫌いのお子様が多いと聞きますが、このにんじんなら食べられるのではないでしょうか。特に小さいお子様には、ぜひ本当のにんじんを食べさせてあげて下さい。」という「商品２に関する説明」が記されている。商品２に関する説明には、食品２の効用、食品２のおいしい食べ方、食品２の保存方法などを合わせて記してもよい。なお、食品出荷時期における食品生産者１からのコメントには、図１０に示す「今、信州高原（出荷対象の食品２の食品生産地）には、一足早い秋が訪れています。昼間の残暑もずいぶん和らぎ、朝晩はすこしひんやりするようになりました。山では草木が心なしか赤や黄色に染まり始め、しばらくすると冬が足早にやって来ます。冬は信州鍋のおいしい季節です。」という「（食品出荷時期における）食品２が生産された生産地の季節感を消費者２に伝えるコメント」が合わせて記されてもよく、消費者４に与える季節感がより印象深いものとなる。
【００７７】
（第３実施形態）
図１５〜図１９を用いて、本発明における第３実施形態を説明する。第３実施形態の特徴は、写真付きラベル出力部９に写真付きラベル６が出力されると、その内容を食品生産者１から出荷される食品に付与される写真付きラベル６の情報（写真付きラベル情報２１）として、販売者３の有する販売者端末２２や、消費者４の有する消費者端末２４や、飲食店２５（経営者、運営者）の有する飲食店端末２６などの送信先端末に対して送信することである。第１実施形態と異なる点のみを以下説明する。
【００７８】
図１５は、本発明の実施形態における写真付きラベル作成システムと各端末から成るシステム全体図を説明する図である。
【００７９】
同図において、写真付きラベル作成システム５は、写真付きラベル出力部９に写真付きラベル６が出力されると、その内容を食品生産者１から出荷される食品に付与される写真付きラベル６の情報（写真付きラベル情報２１）として、販売者３の有する販売者端末２２や、消費者４の有する消費者端末２４や、飲食店２５（経営者、運営者）の有する飲食店端末２６などの送信先端末に対して送信する。写真付きラベル情報２１を受信した販売者端末２２は、必要により受信した情報をポップ（ＰＯＰ、Ｐｏｉｎｔ  ｏｆ  Ｐｕｒｃｈａｓｅの略。ここでは転じて購買時点で購入者の目を引くための広告媒体のこと）やポスターなどの販促グッズ（販売促進物）２３として出力する。同様に写真付きラベル情報２１を受信した飲食店端末２６は、必要により受信した情報をポップやポスターなどの営促グッズ（営業促進物）２７として出力する。また、消費者端末２４が受信した写真付きラベル情報２１は食品生産者１が出荷した食品２の購入を消費者４に促す宣伝広告媒体の役目を果たすと共に、食品生産者１と消費者４の心理的距離を縮める便りの役目も果たすことが出来る。
【００８０】
図１６は、本発明の実施形態における写真付きラベル作成システムの機能ブロック図である。
【００８１】
同図において、写真付きラベル作成システム５は、写真付きラベル出力部９に写真付きラベル６が出力されると、その内容（写真付きラベル情報２１）を記憶する写真付きラベル情報ＤＢ１６から取得する機能と、写真付きラベル情報ＤＢ１６から取得した内容を送信する端末に関する情報を送信先端末ＤＢ１７から取得して、取得した送信先端末に写真付きラベル情報２１を送信する機能と、送信先端末に送信した結果を写真付きラベル情報ＤＢ１６に記憶する機能とを有する。
【００８２】
図１７は、図１６に示す機能ブロック図に対応する写真付きラベル作成システムと送信先端末の演算部におけるフローチャートである。
【００８３】
同図において、写真付きラベル作成システム５は、写真付きラベル出力部９に出力した写真付きラベル６の内容（写真付きラベル情報２１）が写真付きラベル付きＤＢ１６に記憶されると（ＳＴ１７０１）、写真付きラベル情報２１を写真付きラベル付きＤＢ１６から取得し（ＳＴ１７０２）、写真付きラベル情報ＤＢ１６から取得した内容を送信する端末に関する情報を送信先端末ＤＢ１７から取得し（ＳＴ１７０３）、取得した送信先端末に対して写真付きラベル情報２１を食品生産者１から出荷される食品に付与される写真付きラベル６の情報として送信し（ＳＴ１７０４）、送信した内容を写真付きラベル付きＤＢ１６に記憶して（ＳＴ１７０５）、処理を終了する。送信先端末は、写真付きラベル作成システム５から写真付きラベル情報２１を受信すると、受信した情報を記憶部に記憶し（ＳＴ１７０６）、受信した情報を表示部に出力し（ＳＴ１７０７）、受信した情報を必要に応じて出力媒体に出力して（ＳＴ１７０８）、処理を終了する。
【００８４】
図１８は、図１５に示す販売促進物の具体例を説明する図である。
【００８５】
同図において、写真付きラベル作成システム５から写真付きラベル情報２１を受信した販売者端末２２は、販売促進用店内ポップ２３−１や販売促進用ポスター２３−２を作る基礎情報として用いている。図例では、販売促進用店内ポップ２３−１として「生産者の顔が見える食材コーナー」を示すポップに写真付きラベル情報２１がそのまま用いられている。同様に図例では、販売促進用ポスター２３−２として「今、おすすめの商品はコレ！」を題にして、「私どもはこのほど『生産地の季節を感じる食材たち』シリーズを企画しました。あなたがその食材を手にとったその時、伝わる季節感。ぜひお試し下さい」のメッセージと共に写真付きラベル情報２１がそのまま用いられている。
【００８６】
写真付きラベル６は、食品生産者１と消費者４の心理的距離を縮めるために、かつ食品２が生産された生産地の季節感を消費者に伝えるために、さらには消費者４が食品２を手に取った時にその季節感が伝わるようにするために、食品生産者１または生産地に関する写真と生産者名とともに出荷時期における食品生産者１からのコメントによって構成される。よって、写真付きラベル情報２１そのままの内容でも、消費者４に食品生産者１と消費者４の心理的距離を縮める役割や、食品２が生産された生産地の季節感を消費者４に伝える役割を担うことが出来る。
【００８７】
図１９は、図１５に示す営業促進物の具体例を説明する図である。
【００８８】
同図において、写真付きラベル作成システム５から写真付きラベル情報２１を受信した飲食店端末２６は、メニュの前に置く営業促進用店内ポップ２７−１を作る基礎情報として用いている。図例では、営業促進用店内ポップ２７−１として「私どもはこの食材を使っています」を示すポップに写真付きラベル情報２１がそのまま用いられている。営業促進物２７に写真付きラベル情報２１がそのまま使える論理は、図１８での説明に示す販売促進物２３に写真付きラベル情報２１がそのまま使える論理と同様である。飲食店２５など、消費者に飲食物を提供するサービス業種で、営業促進用店内ポップ２７−１のような営業促進物２７を置くということは、食材（食品２）にも気を使っていることを示す飲食店２５の「食」に対する姿勢を消費者４（飲食店２５にとっては利用者）に伝えるだけでなく、間接的に食品生産者１の声が消費者４に届くというメディア（情報伝達媒体）の役目を果たすことが出来る。
【００８９】
（第４実施形態）
図２０〜図２３を用いて、本発明における第４実施形態を説明する。第４実施形態の特徴は、写真付きラベル出力部９に写真付きラベル６が出力される際に、（消費者４が１枚または複数枚集めることによって、提供者が提供する何かに消費者４が応募できる券となる）クーポン券を写真付きラベル６に付与しておくことである。第１実施形態と異なる点のみを以下説明する。
【００９０】
図２０は、本発明の実施形態におけるコンセプトを説明する図である。
【００９１】
同図において、写真付きラベル作成システム５は、食品生産者１から「食品生産者または食品生産地に関する写真」を画像情報として取得、また「食品出荷時期における食品生産者からのコメント」を文字情報として取得し、取得した情報に基づいて写真付きラベル６を作成する際に、クーポン情報ＤＢ１９からクーポン情報を取得して写真付きラベル６に付与する。写真付きラベル作成システム５によって作成された写真付きラベル６は、食品生産者１によって食品に添えられたり、貼られていたりして、最終的には付与されたクーポン情報と共に消費者４の元に届けられることになる。
【００９２】
食品２の主たる購買層となる主婦には何かを集める習性があり、１枚または複数枚集めることによって、提供者が提供する何かに応募できる券となる、いわゆるクーポン券に弱いと言われている。このようなクーポン券２８が写真付きラベル６に付与され、クーポン券２８を集めた消費者４からの応募を受け付けることによって、一方通行だった食品生産者１の声に対する消費者４の情報を取得することが出来る。例えば、出荷する食品２の種別ごとにクーポン券２８を変えておけば、どんな人がどんなものを購入してくれたかなどのマーケティング情報となる。なお、図１０の説明に示す識別コードが写真付きラベル６にあれば、クーポン券２８にも同様に識別コードが記載しておくとよい。
【００９３】
図２１は、本発明の実施形態における写真付きラベル作成システムの機能ブロック図である。
【００９４】
同図において、受け付けた承認情報に基づいて、（承認情報に対応することになる）情報出力部８に出力した写真付きラベル６の配置結果または修正結果を取得する機能と、クーポン情報ＤＢ１９から取得した写真付きラベル６の内容に付与するクーポン情報を取得して、取得したクーポン情報を承認された写真付きラベル６の構成に加えて写真付きラベル出力部９に出力する機能と、写真付きラベル出力部６に出力した写真付きラベル６の内容を写真付きラベル付きＤＢ１６に記憶する機能とを有する。
【００９５】
図２２は、図２１に示す機能ブロック図に対応する写真付きラベル作成システムの演算部におけるフローチャートである。
【００９６】
同図において、写真付きラベル作成システム５は、情報出力部８に出力した写真付きラベル６の配置結果に対する承認を情報入力部７から受け付けたか否かを判断し（ＳＴ２２０１）、承認を受け付けると、受け付けた承認情報に基づいて、（承認情報に対応することになる）情報出力部８に出力した写真付きラベル６の配置結果または修正結果を取得し（ＳＴ２２０５）、クーポン情報ＤＢ１９から取得した写真付きラベル６の内容に付与するクーポン情報を取得し（ＳＴ２２０６）、取得したクーポン情報を承認された写真付きラベル６の構成に付与し（ＳＴ２２０７）、クーポン情報を付与した写真付きラベル６の内容を写真付きラベル出力部９に出力し（ＳＴ２２０８）、写真付きラベル出力部９に出力した写真付きラベル６の内容を写真付きラベル付きＤＢ１６に記憶して（ＳＴ２２０９）、処理を終了する。
【００９７】
図２３は、本発明の実施形態におけるクーポン券を消費者が貼り付けるクーポン台紙の具体例を説明する図である。
【００９８】
同図において、写真付きラベル６に付与されたクーポン券２８は消費者４によって切り取られ、所定の台紙であるクーポン台紙２９に消費者４は、切り取ったクーポン券２８を貼り付けていく。写真付きラベル作成システムに供給するラベル台紙２０にシール台紙を用いれば、クーポン券２８がシールとなり、クーポン台紙２９に貼りやすくなる。集めたクーポン券２８を貼り付けていくと、貼り付けたクーポン券２８でクーポン台紙２９が満たされていく。先述の主婦たちは、このクーポン台紙２９が満たされていく行為が好きであるとも言われており、クーポン券２８を提供する場合には貼り付ける台紙を用意した方がよい。
【００９９】
（第５実施形態）
図２４〜図２７を用いて、本発明における第５実施形態を説明する。第５実施形態の特徴は、クーポン券２８を貼り付けたクーポン台紙２９を受け付けるクーポンチェッカー機能を持つ端末から消費者４の声を取得することである。なお、クーポンチェッカー機能は、写真付きラベル作成システム５側にあってもよく、この場合の端末はクーポン台紙２９の受け付け機能を持つ端末であればよい。第１実施形態と異なる点のみを以下説明する。
【０１００】
図２４は、本発明の実施形態におけるコンセプトを説明する図である。
【０１０１】
同図において、販売者３の販売所に置かれた販売者端末２２は、消費者４が集めたクーポン券２８を貼り付けたクーポン台紙２９を画像として取得し、取得した画像に対してクーポン券２８の内容チェック（クーポン券２８に偽造防止手段が施されている場合には真偽判定を実行し、クーポン券２８の内容読み取ってその内容を確認する処理のこと。この処理は写真付きラベル作成システム５側で実行してもよい）を実行し、取得したクーポン券情報を写真付きラベル作成システム５に送信する。この際に販売者端末２２には、消費者４からの声とも言える消費者４が入力するコメントの入力を促す入力要求（入力指示）情報を消費者４に向けて出力することによって、消費者４からのコメント入力を促す。ここで言うところの入力指示情報とは、例えば「これらの食品２について何かお気づきの点はありませんか？」「食品生産者１に対して何か言いたいこと（何か伝えたいこと）はありませんか？」などのようなものでよい。クーポン台紙２９によって何をどのくらい購入してくれた消費者４からの意見なのかがわかり、消費者４の声をより適確につかむツールとして活用できる。なお、ここではクーポン券情報を取得する端末を販売者端末２２で説明したが、同様の機能を有する消費者端末２４を用いてもよい。
【０１０２】
近年のように食品不祥事が頻繁に発生し、マスメディアも大きく取り上げるようになってくると「食」への不安感が高まると同時に、「食」への安心感を求めるようになる傾向がある。特に幼い子供がいる母親の「食」への関心は高く、安心できる食品を子供に食べさせてあげたいと願っているようである。そのような要望に対し、写真付きラベル作成システム５が作成する写真付きラベル６は、「食」への関心が高い消費者４に対して、「この食品２はどのように作られたか（どのようなことに注意を払っているか）」などの情報を記載することによって、消費者４の知りたい欲求をより満たすことが出来る。また、写真付きラベル作成システム５が取得した消費者の声情報を食品生産者１に与えることは、食品生産者１が消費者４の生の声を知ることになる。そして、食品生産者１がこのように「食」への関心が高い消費者４からの知りたい欲求に応えるようなコメントを写真付きラベル作成システム５に入力することによって、次第に食品生産者１と消費者４の心理的距離が縮まると共に、互いの信頼感を構築することにも貢献することが出来る。つまり、写真付きラベル作成システム５が作成する写真付きラベル６が互いの信頼と安心を結ぶ情報伝達媒体の役割を担うことが出来るようになる。
【０１０３】
図２５は、本発明の実施形態における写真付きラベル作成システムの機能ブロック図である。
【０１０４】
同図において、写真付きラベル作成システム５は、クーポン台紙ごとクーポン情報を受け取って内容確認する（送信元の端末にてクーポン券２８の内容チェックが済んでいる場合には、クーポン券情報として情報を受け付ける）機能と、受け付けたクーポン券情報に付与された消費者の声情報を抽出する機能と、消費者の声情報が抽出できた場合には、抽出された消費者の声情報をクーポン券情報と共に消費者の声情報ＤＢ３１−１に記憶する機能と、受け付けたクーポン券情報をクーポン券情報ＤＢ１９に記憶する機能と、受け付けたクーポン券情報に応じた処理を実行する機能とを有する。クーポン券情報に応じた処理とは、例えばプレゼントの当選者選定であり、当選者選定をした後にはプレゼントの送付指示を情報出力部８に出力する。
【０１０５】
また、プレゼントとして抽選で消費者４を食品生産地へ実際に招待する「生産地御招待ツアー」などもおもしろい。もちろん、すべての消費者４が食品生産地を訪れるわかではないが、食品生産地を実際に訪れた消費者４からの口コミで周りの消費者４にも食品生産者１や食品生産地に関する情報が確実に広がっていく。このように、まず写真付きラベル６で培った食品生産者１と消費者４との絆が実際の交流によって深まっていくという効果が期待できる。安易に何かモノをプレゼントするよりも今後につながる良い取り組みと言える。そのためにも写真付きラベル６を出荷する食品２に添えたり、貼り付けたりすることによって食品が生産された生産地の季節感を消費者に伝え、消費者が食品を手に取った時にその季節感が伝わるようにして、普段から食品の生産者と消費者の心理的距離を縮めておくことが大切である。
【０１０６】
さらに、写真付きラベル作成システム５は、消費者の声の処理実行の指示を受け付けると、消費者の声情報ＤＢ３１−１から消費者の声情報をクーポン券情報と共に取得する機能と、取得した情報に集計・統計・分類および分析などの処理を実行する機能と、処理結果を消費者の声処理結果情報ＤＢ３１−２に記憶する機能と、必要に応じて処理結果を情報出力部８に出力する機能とを有する。
【０１０７】
図２６は、図２５に示す機能ブロック図に対応する写真付きラベル作成システムの演算部におけるフローチャートである。
【０１０８】
同図において、写真付きラベル作成システム５は、クーポン券情報を受け付けると（ＳＴ２６０１）、受け付けたクーポン券情報に付与された消費者の声情報があるか否かを判断し（ＳＴ２６０２）、あれば消費者の声情報を受け付けたクーポン情報と共に消費者の声情報ＤＢ３１−１に記憶し（ＳＴ２６０３）、クーポン券情報をクーポン券情報ＤＢ１９に記憶して（ＳＴ２６０４）、なければ受け付けたクーポン券情報をクーポン券情報ＤＢ１９に記憶して（ＳＴ２６０４）、受け付けたクーポン券情報に応じた処理を実行して（ＳＴ２６０５）、処理を実行する。
【０１０９】
図２７は、図２５に示す機能ブロック図に対応する写真付きラベル作成システムの演算部におけるフローチャートである。
【０１１０】
同図において、写真付きラベル作成システム５は、消費者の声の処理実行の指示を受け付けると（ＳＴ２７０１）、消費者の声情報ＤＢ３１−１から消費者の声情報をクーポン券情報と共に取得し（ＳＴ２７０２）、取得した情報に集計・統計・分類および分析などの処理を実行（ＳＴ２７０３）、処理結果を消費者の声処理結果情報ＤＢ３１−２に記憶し（ＳＴ２７０４）、必要に応じて処理結果を情報出力部８に出力して（ＳＴ２７０５）、処理を終了する。
【０１１１】
【発明の効果】
以上記載の本発明によれば、消費者が手にする食品に添えられるまたは貼られる写真付きラベルを、食品生産者または生産地に関する写真と生産者名とともに食品出荷時期における食品生産者からのコメントによって構成するようにしたので、食品が生産された生産地の季節感を消費者に伝えることができ、消費者が食品を手に取った時にその季節感が伝わるので、食品の生産者と消費者の心理的距離を縮める効果が期待できる。
【０１１２】
また、写真付きラベルに食品出荷時期における食品生産者からのコメントだけでなく、次出荷食品に関する食品生産者からのコメントを添えるだけでも消費者に感じさせる季節感が出てくるという効果がある。
【０１１３】
本発明における写真付きラベル作成システムを用いれば、これまでには無かった「食品が生産された生産地の季節感を消費者に伝える」ことが出来る写真付きラベルを容易かつ効率的に作成することが出来る。なお、写真付きラベルの作成に必要な情報が足らない場合には、写真付きラベル作成システムから入力を要求（指示）する質問情報や確認情報などを出力し、食品生産者はシステムから出力されたこれらの情報に対してその時その場所で感じたことをありのままに表現するだけで所望の写真付きラベルを作成することが出来る。
【０１１４】
さらに、写真付きラベルにクーポン情報を付与して消費者からの声を取得することによって、食品生産者にとってマーケティング情報となるとともに、消費者からの声に応えるように写真付きラベルにコメントを記載していくことによって、消費者との間で互いの信頼感を構築する媒体の役目を果たすことが出来る。
【０１１５】
またさらに、写真付きラベルの内容をそのまま販売者における販売促進物に利用する、もしくは飲食店などにおける営業促進物にそのまま利用することも出来る。
【図面の簡単な説明】
【図１】食品生産者を説明する説明図
【図２】本発明の実施形態におけるコンセプトを説明する図
【図３】本発明の実施形態における写真付きラベル作成システムのハードブロック図
【図４】本発明の実施形態における写真付きラベル作成システムの機能ブロック図
【図５】本発明の実施形態における写真付きラベル作成システムの機能ブロック図
【図６】図３における写真付きラベル出力部をより具体的に説明するハードブロック図
【図７】図４に示す機能ブロック図に対応する写真付きラベル作成システムの演算部におけるフローチャート
【図８】図５に示す機能ブロック図に対応する写真付きラベル作成システムの演算部におけるフローチャート
【図９】図４に示す機能ブロック図に対応する写真付きラベル作成システムの演算部におけるフローチャート
【図１０】図２に示す写真付きラベルの具体例を説明する図
【図１１】本発明の実施形態におけるコンセプトを説明する図
【図１２】本発明の実施形態における写真付きラベル作成システムの機能ブロック図
【図１３】図１２に示す機能ブロック図に対応する写真付きラベル作成システムの演算部におけるフローチャート
【図１４】図１１に示す写真付きラベルの具体例を説明する図
【図１５】本発明の実施形態における写真付きラベル作成システムと各端末から成るシステム全体図を説明する図
【図１６】本発明の実施形態における写真付きラベル作成システムの機能ブロック図
【図１７】図１６に機能ブロック図に対応する写真付きラベル作成システムと送信先端末の演算部におけるフローチャート
【図１８】図１５に示す販売促進物の具体例を説明する図
【図１９】図１５に示す営業促進物の具体例を説明する図
【図２０】本発明の実施形態におけるコンセプトを説明する図
【図２１】本発明の実施形態における写真付きラベル作成システムの機能ブロック図
【図２２】図２１に示す機能ブロック図に対応する写真付きラベル作成システムの演算部におけるフローチャート
【図２３】本発明の実施形態におけるクーポン券を消費者が貼り付けるクーポン台紙の具体例を説明する図
【図２４】本発明の実施形態におけるコンセプトを説明する図
【図２５】本発明の実施形態における写真付きラベル作成システムの機能ブロック図
【図２６】図２５に示す機能ブロック図に対応する写真付きラベル作成システムの演算部におけるフローチャート
【図２７】図２５に示す機能ブロック図に対応する写真付きラベル作成システムの演算部におけるフローチャート
【符号の説明】
１  食品生産者
２  食品
３  販売者
４  消費者
５  写真付きラベル作成システム
６  写真付きラベル
１６  写真付きラベル情報ＤＢ
１６−１  画像情報ＤＢ
１６−２  コメント情報ＤＢ
１６−３  レイアウト情報ＤＢ
１６−４  入力要求情報ＤＢ
１７  食品生産者情報ＤＢ
１８  送信先端末情報ＤＢ
１９  クーポン情報ＤＢ
２０  ラベル台紙
２１  写真付きラベル情報
２８  クーポン券
２９  クーポン券台紙
３１−１  消費者の声情報ＤＢ
３１−２  消費者の声処理結果情報ＤＢ
【図１】
2004184818.tif 000003
【図２】
2004184818.tif 000004
【図３】
2004184818.tif 000005
【図４】
2004184818.tif 000006
【図５】
2004184818.tif 000007
【図６】
2004184818.tif 000008
【図７】
2004184818.tif 000009
【図８】
2004184818.tif 000010
【図９】
2004184818.tif 000011
【図１０】
2004184818.tif 000012
【図１１】
2004184818.tif 000013
【図１２】
2004184818.tif 000014
【図１３】
2004184818.tif 000015
【図１４】
2004184818.tif 000016
【図１５】
2004184818.tif 000017
【図１６】
2004184818.tif 000018
【図１７】
2004184818.tif 000019
【図１８】
2004184818.tif 000020
【図１９】
2004184818.tif 000021
【図２０】
2004184818.tif 000022
【図２１】
2004184818.tif 000023
【図２２】
2004184818.tif 000024
【図２３】
2004184818.tif 000025
【図２４】
2004184818.tif 000026
【図２５】
2004184818.tif 000027
【図２６】
2004184818.tif 000028
【図２７】
2004184818.tif 000029